(57)【要約】【課題】カット条件の設定を柔軟かつ適切に行う。【解決手段】媒体を切断する切断線を示す切断線指示ファイルであるカット用ＲＩＰ入力ファイルをコンピュータであるクライアントＰＣ１２に生成させるプログラムであって、切断線に沿った切断動作の条件を指定するカット条件と対応付けられた色であるカット条件対応色を準備する色準備処理と、複数の切断線を示すカット用ＲＩＰ入力ファイルを生成する切断線指示ファイル生成処理とをコンピュータに行わせ、色準備処理は、それぞれ異なるカット条件と対応付けられた複数種類のカット条件対応色を準備し、切断線指示ファイル生成処理は、それぞれがいずれかのカット条件対応色と関連付けられている複数の切断線を示し、かつ、カット条件対応色とカット条件とを対応付けたカット条件情報を含むカット用ＲＩＰ入力ファイルを生成する。【選択図】図１
2010069650.tif 000002
【特許請求の範囲】
【請求項１】
媒体を切断する切断線を示す切断線指示ファイルをコンピュータに生成させるプログラムであって、
前記切断線に沿った切断動作の条件を指定するカット条件と対応付けられた色であるカット条件対応色を準備する色準備処理と、
複数の前記切断線を示す前記切断線指示ファイルを生成する切断線指示ファイル生成処理と
を前記コンピュータに行わせ、
前記色準備処理は、それぞれ異なる前記カット条件と対応付けられた複数種類の前記カット条件対応色を準備し、
前記切断線指示ファイル生成処理は、それぞれがいずれかの前記カット条件対応色と関連付けられている複数の前記切断線を示し、かつ、前記カット条件対応色と前記カット条件とを対応付けたカット条件情報を含む前記切断線指示ファイルを生成することを特徴とするプログラム。
【請求項２】
前記切断線指示ファイルは、コメント情報を書き込むデータ領域を含む形式のファイルであり、
前記切断線指示ファイル生成処理は、前記カット条件情報を、前記切断線指示ファイルの前記コメント情報として書き込むことを特徴とする請求項１に記載のプログラム。
【請求項３】
前記切断線を示すカットデータを作成するデータ生成処理を更にコンピュータに行わせ、
前記切断線指示ファイル生成処理は、ＲＩＰ（Ｒａｓｔｅｒ  Ｉｍａｇｅ  Ｐｒｏｃｅｓｓｏｒ）処理の入力データとなるデータ形式のＲＩＰ入力形式ファイルに前記カットデータが示す画像を変換することにより、前記切断線指示ファイルとして、前記カットデータに対応する前記ＲＩＰ入力形式ファイルであるカット用ＲＩＰ入力ファイルを生成し、かつ、前記カット用ＲＩＰ入力ファイルにおいて、前記切断線の色として前記カット条件対応色を指定することにより、前記切断線と前記カット条件対応色とを関連付けることを特徴とする請求項１又は２に記載のプログラム。
【請求項４】
前記色準備処理は、切断の速度の条件を少なくとも一部に含む前記カット条件をそれぞれの前記カット条件対応色に対応付け、
前記切断線指示ファイル生成処理は、
前記切断の速度を第１の速度とする条件を含む前記カット条件と対応付けられた第１の前記カット条件対応色と関連付けられた第１の前記切断線と、
前記切断の速度を第１の速度と異なる第２の速度とする条件を含む前記カット条件と対応付けられた第２の前記カット条件対応色と関連付けられた第２の前記切断線と
を示す前記切断線指示ファイルを生成することを特徴とする請求項１から３のいずれかに記載のプログラム。
【請求項５】
前記色準備処理は、切断の圧力の条件を少なくとも一部に含む前記カット条件をそれぞれの前記カット条件対応色に対応付け、
前記切断線指示ファイル生成処理は、
前記切断の速度を第１の圧力とする条件を含む前記カット条件と対応付けられた第１の前記カット条件対応色と関連付けられた第１の前記切断線と、
前記切断の速度を第１の圧力と異なる第２の圧力とする条件を含む前記カット条件と対応付けられた第２の前記カット条件対応色と関連付けられた第２の前記切断線と
を示す前記切断線指示ファイルを生成することを特徴とする請求項１から４のいずれかに記載のプログラム。
【請求項６】
前記色準備処理は、前記切断線の線種を指定する条件を少なくとも一部に含む前記カット条件をそれぞれの前記カット条件対応色に対応付け、
前記切断線指示ファイル生成処理は、
前記線種を実線とする条件を含む前記カット条件と対応付けられた第１の前記カット条件対応色と関連付けられた第１の前記切断線と、
前記線種をミシン目状の線とする条件を含む前記カット条件と対応付けられた第２の前記カット条件対応色と関連付けられた第２の前記切断線と
を示す前記切断線指示ファイルを生成することを特徴とする請求項１から５のいずれかに記載のプログラム。
【請求項７】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理をコンピュータに行わせるプログラムであって、
媒体を切断する切断線を示す切断線指示ファイルを前記ＲＩＰ入力形式ファイルとして読み込むファイル読み込み処理と、
前記切断線指示ファイルを前記ＲＩＰ出力形式ファイルへ変換することにより、前記切断線指示ファイルに対応する前記ＲＩＰ出力形式ファイルであるカット用ＲＩＰ出力ファイルを生成するカット用ＲＩＰ出力ファイル生成処理と、
前記カット用ＲＩＰ出力ファイルを前記出力先の装置へ出力するＲＩＰ出力ファイル出力処理と
を前記コンピュータに行わせ、
前記切断線指示ファイルは、それぞれがいずれかの前記カット条件対応色と関連付けられている複数の前記切断線を示し、かつ、それぞれの前記カット条件対応色と、前記切断線に沿った切断動作の条件を指定するカット条件とを対応付けたカット条件情報を含み、
前記カット用ＲＩＰ出力ファイル生成処理は、前記切断線指示ファイルに含まれる前記カット条件情報に基づき、前記切断線が関連付けられている前記カット条件対応色に対応する前記カット条件に応じて切断動作を制御する切断制御コマンドを含む前記カット用ＲＩＰ出力ファイルを生成することを特徴とするプログラム。
【請求項８】
媒体を切断する切断線を示す切断線指示ファイルを生成する切断線指示ファイル生成装置であって、
前記切断線に沿った切断動作の条件を指定するカット条件と対応付けられた色であるカット条件対応色を準備する色準備部と、
複数の前記切断線を示す前記切断線指示ファイルを生成する切断線指示ファイル生成部と
を備え、
前記色準備部は、それぞれ異なる前記カット条件と対応付けられた複数種類の前記カット条件対応色を準備し、
前記切断線指示ファイル生成部は、それぞれがいずれかの前記カット条件対応色と関連付けられている複数の前記切断線を示し、かつ、前記カット条件対応色と前記カット条件とを対応付けたカット条件情報を含む前記切断線指示ファイルを生成することを特徴とする切断線指示ファイル生成装置。
【請求項９】
媒体を切断する切断線を示す切断線指示ファイルを生成する切断線指示ファイル生成方法であって、
前記切断線に沿った切断動作の条件を指定するカット条件と対応付けられた色であるカット条件対応色を準備する色準備段階と、
複数の前記切断線を示す前記切断線指示ファイルを生成する切断線指示ファイル生成段階と
を備え、
前記色準備段階は、それぞれ異なる前記カット条件と対応付けられた複数種類の前記カット条件対応色を準備し、
前記切断線指示ファイル生成段階は、それぞれがいずれかの前記カット条件対応色と関連付けられている複数の前記切断線を示し、かつ、前記カット条件対応色と前記カット条件とを対応付けたカット条件情報を含む前記切断線指示ファイルを生成することを特徴とする切断線指示ファイル生成方法。
【請求項１０】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理装置であって、
媒体を切断する切断線を示す切断線指示ファイルを前記ＲＩＰ入力形式ファイルとして読み込むファイル読み込み部と、
前記切断線指示ファイルを前記ＲＩＰ出力形式ファイルへ変換することにより、前記切断線指示ファイルに対応する前記ＲＩＰ出力形式ファイルであるカット用ＲＩＰ出力ファイルを生成するカット用ＲＩＰ出力ファイル生成部と、
前記カット用ＲＩＰ出力ファイルを前記出力先の装置へ出力するＲＩＰ出力ファイル出力部と
を備え、
前記切断線指示ファイルは、それぞれがいずれかの前記カット条件対応色と関連付けられている複数の前記切断線を示し、かつ、それぞれの前記カット条件対応色と、前記切断線に沿った切断動作の条件を指定するカット条件とを対応付けたカット条件情報を含み、
前記カット用ＲＩＰ出力ファイル生成部は、前記切断線指示ファイルに含まれる前記カット条件情報に基づき、前記切断線が関連付けられている前記カット条件対応色に対応する前記カット条件に応じて切断動作を制御する切断制御コマンドを含む前記カット用ＲＩＰ出力ファイルを生成することを特徴とするＲＩＰ処理装置。
【請求項１１】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理方法であって、
媒体を切断する切断線を示す切断線指示ファイルを前記ＲＩＰ入力形式ファイルとして読み込むファイル読み込み段階と、
前記切断線指示ファイルを前記ＲＩＰ出力形式ファイルへ変換することにより、前記切断線指示ファイルに対応する前記ＲＩＰ出力形式ファイルであるカット用ＲＩＰ出力ファイルを生成するカット用ＲＩＰ出力ファイル生成段階と、
前記カット用ＲＩＰ出力ファイルを前記出力先の装置へ出力するＲＩＰ出力ファイル出力段階と
を備え、
前記切断線指示ファイルは、それぞれがいずれかの前記カット条件対応色と関連付けられている複数の前記切断線を示し、かつ、それぞれの前記カット条件対応色と、前記切断線に沿った切断動作の条件を指定するカット条件とを対応付けたカット条件情報を含み、
前記カット用ＲＩＰ出力ファイル生成段階は、前記切断線指示ファイルに含まれる前記カット条件情報に基づき、前記切断線が関連付けられている前記カット条件対応色に対応する前記カット条件に応じて切断動作を制御する切断制御コマンドを含む前記カット用ＲＩＰ出力ファイルを生成することを特徴とするＲＩＰ処理方法。
【請求項１２】
媒体への画像の印刷、及び切断線に沿った前記媒体の切断を行う印刷切断システムであって、
請求項８に記載の切断線指示ファイル生成装置と、
請求項１０に記載のＲＩＰ処理装置と、
前記ＲＩＰ処理装置の出力先の装置である印刷切断装置と
を備えることを特徴とする印刷切断システム。
【発明の詳細な説明】
【技術分野】
【０００１】
本発明は、プログラム、切断線指示ファイル生成装置、切断線指示ファイル生成方法、ＲＩＰ処理装置、ＲＩＰ処理方法、及び印刷切断システムに関する。
【背景技術】
【０００２】
従来、媒体への印刷（プリント）及び切断（カット）を行う装置が知られている。このような装置としては、例えば、カッティングヘッド付きのインクジェットプリンタが知られている（例えば、特許文献１参照。）。
【特許文献１】特開２００５−３３５１４９号公報
【発明の開示】
【発明が解決しようとする課題】
【０００３】
このような装置は、例えば、予め設定された切断線に沿って、媒体の切断を行う。また、このような装置では、例えばユーザの操作により、切断動作の条件（カット条件）を様々に設定することが可能である。
【０００４】
近年、このような装置の用途の多様化等により、様々なカット条件を柔軟かつ適切に設定可能な方法が求められている。例えば、切断線毎に異なるカット条件を柔軟かつ適切に設定可能な方法が求められている。そこで、本発明は、上記の課題を解決できるプログラム、切断線指示ファイル生成装置、切断線指示ファイル生成方法、ＲＩＰ処理装置、ＲＩＰ処理方法、及び印刷切断システムを提供することを目的とする。
【課題を解決するための手段】
【０００５】
上記の課題を解決するために、本発明は、以下の構成を有する。
【０００６】
（構成１）媒体を切断する切断線を示す切断線指示ファイルをコンピュータに生成させるプログラムであって、切断線に沿った切断動作の条件を指定するカット条件と対応付けられた色であるカット条件対応色を準備する色準備処理と、複数の切断線を示す切断線指示ファイルを生成する切断線指示ファイル生成処理とをコンピュータに行わせ、色準備処理は、それぞれ異なるカット条件と対応付けられた複数種類のカット条件対応色を準備し、切断線指示ファイル生成処理は、それぞれがいずれかのカット条件対応色と関連付けられている複数の切断線を示し、かつ、それぞれのカット条件対応色とカット条件とを対応付けたカット条件情報を含む切断線指示ファイルを生成する。
【０００７】
切断線指示ファイル生成処理は、例えば、入力される画像に含まれる線を切断線として認識し、認識した切断線に対し、設定すべきカット条件に応じて、カット条件対応色を関連付ける。また、切断線指示ファイル生成処理は、例えば、切断線の色としてカット条件対応色を指定することにより、切断線とカット条件対応色との関連付けを行う。カット条件情報は、例えば、少なくとも切断線指示ファイルにおいて使用されているカット条件対応色について、色名と、カット条件とを対応付けた情報である。
【０００８】
このように構成すれば、例えば、切断線毎に異なるカット条件を、適切に設定できる。そのため、例えば、一つの切断線指示ファイル内で、切断される位置やオブジェクトに応じた複数種類のカット条件を適切に設定することが可能になる。また、これにより、例えば、カット条件の設定を、柔軟かつ適切に行うことが可能になる。
【０００９】
尚、媒体を切断する切断線とは、例えば、媒体において切断すべき位置を示す線のことである。この切断線は、例えば、画像が印刷された媒体から画像を切断する切断線である。画像を媒体から切断するとは、例えば、媒体において画像が印刷されている部分を、媒体の他の領域から切り離すことである。媒体において画像が印刷されている部分とは、画像を囲む余白部分を含む領域であってもよい。また、画像を媒体から切断するとは、その後に印刷される画像が媒体から切断された状態となるように、印刷前の媒体を切断することであってもよい。この場合、切断線は、印刷前に行われる切断の位置を示す切断線であってよい。
【００１０】
また、媒体の切断は、例えば、シール等の台紙上に本紙が貼り付けられている媒体に対する切断であってもよい。この場合、媒体の切断は、本紙のみを切断することであってもよい。
【００１１】
また、このプログラムは、例えば、グラフィックソフトウェアのプログラムである。また、カット条件対応色が対応付けられるカット条件は、例えば、切断の速度（カットスピード）、圧力、切断線の線種の指定等である。線種の指定とは、切断線を構成する線の種類の指定であり、例えば、通常の連続的な実線状の切断線、後で切り離すためのミシン目状の切断線等の指定である。また、カット条件は、レイアウト情報や、その他の各種制御情報を更に含む条件であってよい。
【００１２】
（構成２）切断線指示ファイルは、コメント情報を書き込むデータ領域を含む形式のファイルであり、切断線指示ファイル生成処理は、カット条件情報を、切断線指示ファイルのコメント情報として書き込む。このように構成すれば、例えば、カット条件情報を含む切断線指示ファイルを適切に生成できる。
【００１３】
（構成３）切断線を示すカットデータを作成するデータ生成処理を更にコンピュータに行わせ、切断線指示ファイル生成処理は、ＲＩＰ（Ｒａｓｔｅｒ  Ｉｍａｇｅ  Ｐｒｏｃｅｓｓｏｒ）処理の入力データとなるデータ形式のＲＩＰ入力形式ファイルにカットデータが示す画像を変換することにより、切断線指示ファイルとして、カットデータに対応するＲＩＰ入力形式ファイルであるカット用ＲＩＰ入力ファイルを生成し、かつ、カット用ＲＩＰ入力ファイルにおいて、切断線の色としてカット条件対応色を指定することにより、切断線とカット条件対応色とを関連付ける。
【００１４】
カット用ＲＩＰ入力ファイルは、例えばＰｏｓｔｓｃｒｉｐｔファイルである。カット用ＲＩＰ入力ファイルは、ＰＤＦファイル等であってもよい。このように構成すれば、例えば、後段のＲＩＰ処理の入力ファイルとして、切断線を示すカット用ＲＩＰ入力ファイルを適切に生成できる。
【００１５】
ここで、データ生成処理は、例えば、切断線を描画するユーザの操作に基づき、カットデータを生成する。この場合、ユーザは、例えば、各種のカット条件と対応付けられたツールを操作することにより、切断線の描画を行う。
【００１６】
また、色準備処理は、切断線を描画するツールと対応付けられたカット条件と対応付けて、それぞれのカット条件対応色を準備する。これにより、切断線指示ファイル生成処理は、例えば、切断線の描画時に使用されたツールに対応するカット条件に応じたカット条件対応色を、切断線に関連付ける。カット条件対応色としては、特色を用いることが好ましい。特色とは、例えば、プロセスカラーの混合により表現される色以外の色である。プロセスカラーとは、例えば、印刷装置で使用されるＣＭＹＫインクの各色である。
【００１７】
（構成４）色準備処理は、切断の速度の条件を少なくとも一部に含むカット条件をそれぞれのカット条件対応色に対応付け、切断線指示ファイル生成処理は、切断の速度を第１の速度とする条件を含むカット条件と対応付けられた第１のカット条件対応色と関連付けられた第１の切断線と、切断の速度を第１の速度と異なる第２の速度とする条件を含むカット条件と対応付けられた第２のカット条件対応色と関連付けられた第２の切断線とを示す切断線指示ファイルを生成する。
【００１８】
このように構成すれば、例えば、切断される位置やオブジェクトに応じて、切断の速度を適切に設定できる。これにより、例えば、複数のオブジェクトを切断する場合に、より複雑なオブジェクトに対する切断の速度をより低速に設定できる。また、例えば、簡単な四角形等の単純な図形のパスを通常の速度でカットする一方で、細かい文字等のカットを、カット速度を遅くして、丁寧に行うこと等が可能になる。
【００１９】
（構成５）色準備処理は、切断の圧力の条件を少なくとも一部に含む前記カット条件をそれぞれのカット条件対応色に対応付け、切断線指示ファイル生成処理は、切断の速度を第１の圧力とする条件を含むカット条件と対応付けられた第１の前記カット条件対応色と関連付けられた第１の前記切断線と、切断の速度を第１の圧力と異なる第２の圧力とする条件を含むカット条件と対応付けられた第２のカット条件対応色と関連付けられた第２の切断線とを示す切断線指示ファイルを生成する。
【００２０】
このように構成すれば、例えば、切断される位置やオブジェクトに応じて、切断の圧力を適切に設定できる。これにより、例えば、切断に使用するカッターの刃の媒体への切り込み深さを、切断線毎に異ならせることが可能になる。また、例えば、シール等の台紙上に本紙が貼り付けられている媒体を使用する場合において、高い圧力により台紙まで切削する切断と、低い圧力により本紙のみを切削する切断とを使い分けることが可能になる。
【００２１】
（構成６）色準備処理は、切断線の線種を指定する条件を少なくとも一部に含むカット条件をそれぞれのカット条件対応色に対応付け、切断線指示ファイル生成処理は、線種を実線とする条件を含むカット条件と対応付けられた第１のカット条件対応色と関連付けられた第１の切断線と、線種をミシン目状の線とする条件を含むカット条件と対応付けられた第２のカット条件対応色と関連付けられた第２の切断線とを示す切断線指示ファイルを生成する。ミシン目状の線とは、例えば、点線状又は破線状の線である。
【００２２】
このように構成すれば、例えば、切断される位置やオブジェクトに応じて、切断線の線種を適切に設定できる。また、第２の切断線は、ミシン目状の線であるため、例えば人手により、後で簡単に切り離すことが可能になる。そのため、このように構成すれば、例えば、一部の切断線を、後で切り離しを行うための切断線として形成できる。
【００２３】
また、これにより、例えば、シールの切断を行う場合等において、デザイン部分のオブジェクトを実線状に切断する一方で、オブジェクトの外周部分をミシン目状に切断すること等が可能になる。例えば、デザイン部分となる複数のオブジェクトを矩形領域内に含むシールの切断を行う場合、切断線指示ファイルが示す複数の切断線のうち、一番外の矩形領域を囲む切断線をミシン目状の線にすることが考えられる。このように構成すれば、例えば、この矩形領域を、後で簡単に切り離すことが可能になる。また、この場合、この矩形領域内のオブジェクトを囲む切断線を実線とすることが考えられる。これにより、例えば切断を実行する装置において、シールのデザイン部分のオブジェクトを適切に切断できる。尚、シールの切断とは、例えば、シールの台紙上の本紙のみの切断であってよい。
【００２４】
（構成７）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理をコンピュータに行わせるプログラムであって、媒体を切断する切断線を示す切断線指示ファイルをＲＩＰ入力形式ファイルとして読み込むファイル読み込み処理と、切断線指示ファイルをＲＩＰ出力形式ファイルへ変換することにより、切断線指示ファイルに対応するＲＩＰ出力形式ファイルであるカット用ＲＩＰ出力ファイルを生成するカット用ＲＩＰ出力ファイル生成処理と、カット用ＲＩＰ出力ファイルを出力先の装置へ出力するＲＩＰ出力ファイル出力処理とをコンピュータに行わせ、切断線指示ファイルは、それぞれがいずれかのカット条件対応色と関連付けられている複数の切断線を示し、かつ、それぞれのカット条件対応色と、切断線に沿った切断動作の条件を指定するカット条件とを対応付けたカット条件情報を含み、カット用ＲＩＰ出力ファイル生成処理は、切断線指示ファイルに含まれるカット条件情報に基づき、切断線が関連付けられているカット条件対応色に対応するカット条件に応じて切断動作を制御する切断制御コマンドを含むカット用ＲＩＰ出力ファイルを生成する。カット用ＲＩＰ出力ファイルは、切断制御コマンドの他に、例えば、切断線を示す画像のデータを含む。
【００２５】
このように構成すれば、例えば、複数種類のカット条件対応色のそれぞれに対応したカット条件に従って、出力先の装置を適切に制御できる。また、これにより、例えば、構成１と同様の効果を得ることができる。
【００２６】
尚、ＲＩＰ出力形式ファイルは、例えば、出力先の装置を制御するコマンド及びデータにより構成されるファイルである。ＲＩＰ出力形式ファイルは、例えばプリンタ記述言語又は同様の言語で切断線を示したファイルであってよい。また、出力先の装置は、例えば、カッティングヘッド付きのインクジェットプリンタである。この装置は、例えばカッティングプロッタ等であってよい。
【００２７】
（構成８）媒体を切断する切断線を示す切断線指示ファイルを生成する切断線指示ファイル生成装置であって、切断線に沿った切断動作の条件を指定するカット条件と対応付けられた色であるカット条件対応色を準備する色準備部と、複数の切断線を示す切断線指示ファイルを生成する切断線指示ファイル生成部とを備え、色準備部は、それぞれ異なるカット条件と対応付けられた複数種類のカット条件対応色を準備し、切断線指示ファイル生成部は、それぞれがいずれかのカット条件対応色と関連付けられている複数の切断線を示し、かつ、カット条件対応色とカット条件とを対応付けたカット条件情報を含む切断線指示ファイルを生成する。
【００２８】
このように構成すれば、例えば、構成１と同様の効果を得ることができる。切断線指示ファイル生成装置は、例えばプログラムに従って動作するコンピュータであってよい。この場合、例えばコンピュータのＣＰＵが、プログラムに従って、切断線指示ファイル生成装置の各部として動作する。
【００２９】
（構成９）媒体を切断する切断線を示す切断線指示ファイルを生成する切断線指示ファイル生成方法であって、切断線に沿った切断動作の条件を指定するカット条件と対応付けられた色であるカット条件対応色を準備する色準備段階と、複数の切断線を示す切断線指示ファイルを生成する切断線指示ファイル生成段階とを備え、色準備段階は、それぞれ異なるカット条件と対応付けられた複数種類のカット条件対応色を準備し、切断線指示ファイル生成段階は、それぞれがいずれかのカット条件対応色と関連付けられている複数の切断線を示し、かつ、カット条件対応色とカット条件とを対応付けたカット条件情報を含む切断線指示ファイルを生成する。このようにすれば、例えば、構成１と同様の効果を得ることができる。
【００３０】
（構成１０）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理装置であって、媒体を切断する切断線を示す切断線指示ファイルをＲＩＰ入力形式ファイルとして読み込むファイル読み込み部と、切断線指示ファイルをＲＩＰ出力形式ファイルへ変換することにより、切断線指示ファイルに対応するＲＩＰ出力形式ファイルであるカット用ＲＩＰ出力ファイルを生成するカット用ＲＩＰ出力ファイル生成部と、カット用ＲＩＰ出力ファイルを出力先の装置へ出力するＲＩＰ出力ファイル出力部とを備え、切断線指示ファイルは、それぞれがいずれかのカット条件対応色と関連付けられている複数の切断線を示し、かつ、それぞれのカット条件対応色と、切断線に沿った切断動作の条件を指定するカット条件とを対応付けたカット条件情報を含み、カット用ＲＩＰ出力ファイル生成部は、切断線指示ファイルに含まれるカット条件情報に基づき、切断線が関連付けられているカット条件対応色に対応するカット条件に応じて切断動作を制御する切断制御コマンドを含むカット用ＲＩＰ出力ファイルを生成する。
【００３１】
このように構成すれば、例えば、構成６と同様の効果を得ることができる。ＲＩＰ処理装置は、例えばプログラムに従って動作するコンピュータであってよい。この場合、例えばコンピュータのＣＰＵが、プログラムに従って、ＲＩＰ処理装置の各部として動作する。
【００３２】
（構成１１）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理方法であって、媒体を切断する切断線を示す切断線指示ファイルをＲＩＰ入力形式ファイルとして読み込むファイル読み込み段階と、切断線指示ファイルをＲＩＰ出力形式ファイルへ変換することにより、切断線指示ファイルに対応するＲＩＰ出力形式ファイルであるカット用ＲＩＰ出力ファイルを生成するカット用ＲＩＰ出力ファイル生成段階と、カット用ＲＩＰ出力ファイルを出力先の装置へ出力するＲＩＰ出力ファイル出力段階とを備え、切断線指示ファイルは、それぞれがいずれかのカット条件対応色と関連付けられている複数の切断線を示し、かつ、それぞれのカット条件対応色と、切断線に沿った切断動作の条件を指定するカット条件とを対応付けたカット条件情報を含み、カット用ＲＩＰ出力ファイル生成段階は、切断線指示ファイルに含まれるカット条件情報に基づき、切断線が関連付けられているカット条件対応色に対応するカット条件に応じて切断動作を制御する切断制御コマンドを含むカット用ＲＩＰ出力ファイルを生成する。このようにすれば、例えば、構成６と同様の効果を得ることができる。
【００３３】
（構成１２）媒体への画像の印刷、及び切断線に沿った媒体の切断を行う印刷切断システムであって、構成８に記載の切断線指示ファイル生成装置と、構成１０に記載のＲＩＰ処理装置と、ＲＩＰ処理装置の出力先の装置である印刷切断装置とを備える。このように構成すれば、例えば、構成８及び構成１０と同様の効果を得ることができる。
【発明の効果】
【００３４】
本発明によれば、例えば、カット条件の設定を柔軟かつ適切に行うことが可能になる。また、例えば、切断線毎に異なるカット条件を柔軟かつ適切に設定できる。
【発明を実施するための最良の形態】
【００３５】
以下、本発明に係る実施形態を、図面を参照しながら説明する。図１は、本発明の一実施形態に係る印刷切断システム１０の構成の一例を示す。印刷切断システム１０は、媒体への画像の印刷、及び切断線に沿った媒体の切断を行うシステムであり、クライアントＰＣ１２、ＲＩＰ用ＰＣ１４、及び印刷切断装置１６を備える。印刷切断システム１０は、これらの各構成の一部又は全てを、複数台備えてもよい。また、例えば、クライアントＰＣ１２及びＲＩＰ用ＰＣ１４を、例えば１台のコンピュータで構成してもよい。
【００３６】
本例において、クライアントＰＣ１２とＲＩＰ用ＰＣ１４との間は、例えばイーサネット（登録商標）ケーブルにより、ネットワークを介して接続されている。また、ＲＩＰ用ＰＣ１４と印刷切断装置１６との間は、例えばＵＳＢ２．０規格のＵＳＢケーブルにより接続されている。
【００３７】
クライアントＰＣ１２は、グラフィックソフトウェアのプログラムがインストールされたコンピュータである。また、本例において、クライアントＰＣ１２は、切断線指示ファイル生成装置の一例である。クライアントＰＣ１２は、このグラフィックソフトウェアに従ってＲＩＰ入力ファイルとして動作することにより、後段のＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成及び出力する。
【００３８】
本例において、クライアントＰＣ１２は、ＲＩＰ入力形式ファイルとして、ＩＤ情報により互いに関連付けられたプリント用ＲＩＰ入力ファイル及びカット用ＲＩＰ入力ファイルを生成する。プリント用ＲＩＰ入力ファイルは、印刷される画像を示すプリントデータに対応するＲＩＰ入力形式ファイルである。カット用ＲＩＰ入力ファイルは、画像を媒体から切断する切断線を示すカットデータに対応するＲＩＰ入力形式ファイルである。
【００３９】
尚、プリント用ＲＩＰ入力ファイル、及びカット用ＲＩＰ入力ファイルは、例えばＥＰＳ形式等のＰｏｓｔｓｃｒｉｐｔファイルである。プリント用ＲＩＰ入力ファイル及びカット用ＲＩＰ入力ファイルは、ＰＤＦファイル等であってもよい。Ｐｏｓｔｓｃｒｉｐｔファイル及びＰＤＦファイル等は、コメント情報を書き込むデータ領域を含む形式のファイルの一例である。また、カット用ＲＩＰ入力ファイルは、媒体を切断する切断線を示す切断線指示ファイルの一例である。
【００４０】
また、クライアントＰＣ１２は、生成したプリント用ＲＩＰ入力ファイル及びカット用ＲＩＰ入力ファイルを、ＲＩＰ用ＰＣ１４に設定された共有フォルダへ、ネットワークを介して出力する。これにより、クライアントＰＣ１２は、プリント用ＲＩＰ入力ファイル及びカット用ＲＩＰ入力ファイルを、ＲＩＰ用ＰＣ１４に受け渡す。
【００４１】
尚、クライアントＰＣ１２は、必要に応じて、プリント用ＲＩＰ入力ファイル及びカット用ＲＩＰ入力ファイルの一方のみを生成してもよい。クライアントＰＣ１２の動作については、後に更に詳しく説明する。
【００４２】
ＲＩＰ用ＰＣ１４は、ＲＩＰ処理を行うコンピュータである。ＲＩＰ用ＰＣ１４は、ＲＩＰ処理用のソフトウェア（ＲＩＰソフトウェア）に従ってＲＩＰ処理装置として動作し、クライアントＰＣ１２から受け取るＲＩＰ入力形式ファイルであるプリント用ＲＩＰ入力ファイル及びカット用ＲＩＰ入力ファイルを、出力先の装置である印刷切断装置１６が解釈可能なデータ形式のＲＩＰ出力形式ファイルへ変換する。
【００４３】
本例において、ＲＩＰ用ＰＣ１４は、記憶装置１０２において予め設定された共有フォルダを利用して、プリント用ＲＩＰ入力ファイル及びカット用ＲＩＰ入力ファイルを受け取る。また、プリント用ＲＩＰ入力ファイル及びカット用ＲＩＰ入力ファイルのＩＤ情報に基づき、互いに関連付けられているプリント用ＲＩＰ入力ファイル及びカット用ＲＩＰ入力ファイルを認識し、自動的に連携させる。
【００４４】
そして、ＲＩＰ用ＰＣ１４は、ＲＩＰ処理により、ＲＩＰ出力形式ファイルとして、プリント用ＲＩＰ入力ファイルに対応するプリント用ＲＩＰ出力ファイルと、カット用ＲＩＰ入力ファイルに対応するカット用ＲＩＰ出力ファイルとを生成する。また、生成したプリント用ＲＩＰ出力ファイル及びカット用ＲＩＰ出力ファイルを、ＩＤ情報による関連付けに応じたタイミングで、印刷切断装置１６へ出力する。尚、ＲＩＰ用ＰＣ１４の動作についても、後に更に詳しく説明する。
【００４５】
印刷切断装置１６は、ＲＩＰ用ＰＣ１４が生成するプリント用ＲＩＰ出力ファイル及びカット用ＲＩＰ出力ファイルの出力先の装置であり、例えばＵＳＢケーブルを介して、これらのファイルを、ＲＩＰ用ＰＣ１４から順次受け取る。本例において、印刷切断装置１６は、ＲＩＰ用ＰＣ１４から受け取るプリント用ＲＩＰ出力ファイルに従って、画像の印刷を行う。そして、カット用ＲＩＰ出力ファイルに従って、設定された切断線に沿って、画像を媒体から切断する。また、この場合、印刷切断装置１６は、例えば、印刷後、媒体の切断を行う前に、例えばＲＩＰ用ＰＣ１４の指示に応じて、媒体の位置合わせを行う。
【００４６】
尚、印刷切断装置１６は、例えば、カット用ＲＩＰ出力ファイルに従ってカッターを縦横に移動させることにより、画像を媒体から切断する。印刷切断装置１６は、例えば直線状の部分や曲線状の部分を含む切断線に沿って、画像を切断してよい。印刷切断装置１６は、例えば、カッターが設けられたカッティングヘッド付きのインクジェットプリンタである。印刷切断装置１６は、例えばカッティングプロッタ等であってよい。
【００４７】
また、印刷切断装置１６は、例えばシール等の台紙上に本紙が貼り付けられている媒体に対して印刷及び切断を行ってよい。この場合、印刷切断装置１６は、例えば、台紙までカッターの刃が届かない圧力で切断を行うことにより、本紙のみを切断してもよい。
【００４８】
また、印刷切断装置１６は、例えば、先に媒体の切断を行った後に、媒体への印刷を行ってもよい。この場合、例えば、印刷後にインクの乾燥を待つ必要がないため、全体での作業時間を短縮できる。また、この場合、ＲＩＰ用ＰＣ１４は、例えば、カット用ＲＩＰ出力ファイルを出力した後に、プリント用ＲＩＰ出力ファイルを出力する。
【００４９】
本例によれば、例えば、クライアントＰＣ１２のグラフィックソフトウェアにより作成されるプリントデータ及びカットデータに基づき、ＲＩＰ処理を適切に行うことができる。また、これにより、適切に印刷及び画像の切断を行うことができる。
【００５０】
図２は、クライアントＰＣ１２の動作の一例を示すフローチャートである。クライアントＰＣ１２は、プリントデータ及びカットデータの作成用のグラフィックソフトウェアに従い、以下の動作を行う。
【００５１】
尚、プリントデータ用のグラフィックソフトウェアと、カットデータ用のグラフィックソフトウェアとは、同じソフトウェアであってもよく、それぞれ別のソフトウェアであってもよい。プリントデータ及びカットデータの作成用のグラフィックソフトウェアとしては、例えば、イラストレーター（登録商標）等の公知のグラフィックソフトウェアを用いることができる。この場合、例えば、カットデータの作成用のプラグインソフトウェアが更にインストールされる。また、公知のグラフィックソフトウェアに代えて、例えば、プリントデータ及びカットデータの両方を作成可能な独自のグラフィックソフトウェアを用いてもよい。
【００５２】
これらのグラフィックソフトウェアの機能により、クライアントＰＣ１２は、先ず、データ生成処理を行い、例えば画像及び切断線を描画するユーザの操作に基づき、プリントデータ及びカットデータを生成する（Ｓ１０２）。このプリントデータ及びカットデータは、例えば、グラフィックソフトウェアのデータ形式で画像及び切断線を示すデータである。
【００５３】
データ生成処理において、クライアントＰＣ１２は、プリントデータ用のグラフィックソフトウェアに従い、ユーザの操作に基づき、例えば、プロセスカラーにより画像を示すプリントデータを生成する。また、クライアントＰＣ１２は、カットデータ用のグラフィックソフトウェアに従い、ユーザの操作に基づき、例えば、各種のカット条件と対応付けられた切断線を示すカットデータを生成する。この場合、ユーザは、例えば、各種のカット条件と対応付けられたツールを操作することにより、切断線の描画を行う。
【００５４】
尚、カット条件とは、例えば、切断線に沿った切断動作の条件を指定するパラメータである。カット条件は、例えば、切断線の線種、切断の速度（カットスピード）、切断の圧力等を指定する条件であってよい。また、カット条件は、レイアウト情報や、その他の各種制御情報を更に含む条件であってもよい。
【００５５】
また、本例において、カットデータ用のグラフィックソフトウェアには、切断線を描画するツールとして、例えば、それぞれ異なるカット条件と対応付けられた複数のツールが用意されている。この場合、例えば複数の切断線の描画時において、それぞれの切断線を異なるツールにより描画することにより、切断線毎に異なるカット条件を設定することが可能になる。これにより、データ生成処理において、クライアントＰＣ１２は、例えば、それぞれ異なるカット条件と対応付けられた複数の切断線を示すカットデータを生成する。
【００５６】
そして、データの作成後、クライアントＰＣ１２は、プリント用ＲＩＰ入力ファイル生成処理及びカット用ＲＩＰ入力ファイル生成処理を行うことにより、プリントデータ及びカットデータを、ＲＩＰ入力形式ファイルに変換する（Ｓ１０４）。これにより、クライアントＰＣ１２は、プリントデータに対応するプリント用ＲＩＰ入力ファイル、及びカットデータに対応するカット用ＲＩＰ入力ファイルを生成する。
【００５７】
そして、プリント用ＲＩＰ入力ファイル及びカット用ＲＩＰ入力ファイルの生成後、クライアントＰＣ１２は、ファイル出力処理を行い、ＲＩＰ用ＰＣ１４の記憶装置１０２における予め設定された共有フォルダへ、ネットワークを介して、プリント用ＲＩＰ入力ファイル及びカット用ＲＩＰ入力ファイルを出力する（Ｓ１０６）。これにより、クライアントＰＣ１２は、プリントデータ及びカットデータのそれぞれに対応するＲＩＰ入力形式ファイルを、合計２ファイルの別々のファイルであるプリント用ＲＩＰ入力ファイル及びカット用ＲＩＰ入力ファイルとして、ＲＩＰ用ＰＣ１４へ受け渡す。
【００５８】
本例によれば、例えば、後段のＲＩＰ処理の入力ファイルとして、印刷される画像及び切断線のそれぞれを示すプリント用ＲＩＰ入力ファイル及びカット用ＲＩＰ入力ファイルを適切に生成できる。これにより、例えば、印刷される画像及び切断線をそれぞれ示すファイルを、容易かつ適切に準備できる。
【００５９】
また、本例によれば、プリント用ＲＩＰ入力ファイルとカット用ＲＩＰ入力ファイルとを別のファイルとして出力することにより、例えば後段のＲＩＰ処理において一方のファイルに対応する処理のみを行う場合に、使用しない方のファイルのデータを読み込む必要がなくなる。これにより、例えば印刷と切断を一連の動作として行うのではなく、先に印刷のみを実行して、後に切断のみを実行する場合等に、それぞれの処理に要する時間を短縮できる。例えば、後で切断のみを行う場合に、プリント用ＲＩＰ入力ファイルを読み込む必要がなくなり、その分の時間を短縮できる。また、特に、プリント用ＲＩＰ入力ファイル及びカット用ＲＩＰ入力ファイルのデータのサイズが大きい場合、処理に要する時間の短縮の効果が顕著となる。
【００６０】
尚、本例において、クライアントＰＣ１２は、ＩＤ情報を付して、プリント用ＲＩＰ入力ファイル及びカット用ＲＩＰ入力ファイルを生成する。例えば、プリント用ＲＩＰ入力ファイル生成処理において、クライアントＰＣ１２は、カット用ＲＩＰ入力ファイルと関連付けられ、かつ、プリント用ＲＩＰ入力ファイルであることを識別可能なＩＤ情報を付して、プリント用ＲＩＰ入力ファイルを生成する。プリント用ＲＩＰ入力ファイルであることを識別可能なＩＤ情報とは、例えば、カット用ＲＩＰ入力ファイルと区別可能なＩＤ情報である。
【００６１】
また、カット用ＲＩＰ入力ファイル生成処理において、クライアントＰＣ１２は、プリント用ＲＩＰ入力ファイルと関連付けられ、かつ、カット用ＲＩＰ入力ファイルであることを識別可能なＩＤ情報を付して、カット用ＲＩＰ入力ファイルを生成する。カット用ＲＩＰ入力ファイルであることを識別可能なＩＤ情報とは、例えば、プリント用ＲＩＰ入力ファイルと区別可能なＩＤ情報である。
【００６２】
クライアントＰＣ１２は、これらのＩＤ情報を、例えば、コメント情報として、それぞれのファイル内に付す。クライアントＰＣ１２は、ＩＤ情報を、それぞれのファイル名内に付してもよい。本例によれば、例えば、ＩＤ情報により両ファイルを関連付けることにより、後段のＲＩＰ処理において、印刷される画像と切断線とを適切に対応付けて処理を行うことができる。
【００６３】
ここで、カット用ＲＩＰ入力ファイル生成処理について更に詳しく説明する。本例において、クライアントＰＣ１２は、カット用ＲＩＰ入力ファイル生成処理として、色準備処理及び切断線指示ファイル生成処理を行う。
【００６４】
色準備処理は、カット条件と対応付けられた色であるカット条件対応色を準備する処理である。本例の色準備処理において、クライアントＰＣ１２は、それぞれ異なるカット条件と対応付けられる複数種類のカット条件対応色を準備する。各カット条件対応色は、例えば、カットデータ用のグラフィックソフトウェアにおいて切断線を描画する各ツールのカット条件と対応付けられる。
【００６５】
尚、色準備処理において、クライアントＰＣ１２は、例えば予め設定された書式（フォーマット）に従って、複数種類のカット条件対応色を自動的に生成する。また、クライアントＰＣ１２は、カット条件対応色として、例えば特色（スポットカラー）を準備する。
【００６６】
切断線指示ファイル生成処理は、例えば、カットデータが示す切断線の画像をＲＩＰ入力形式ファイルに変換する処理により、カット用ＲＩＰ入力ファイルを生成する。切断線指示ファイル生成処理において、クライアントＰＣ１２は、例えば、カットデータが示す画像に含まれる線を切断線として認識し、認識した切断線の色として、カット条件対応色を指定する。この場合、クライアントＰＣ１２は、その切断線の描画に使用されたツールのカット条件に応じて、対応するカット条件対応色を指定する。これにより、クライアントＰＣ１２は、カットデータに含まれる複数の切断線について、切断線毎に、設定すべきカット条件に応じて、切断線とカット条件対応色とを関連付ける。
【００６７】
また、本例の切断線指示ファイル生成処理において、クライアントＰＣ１２は、更に、カット用ＲＩＰ入力ファイルのコメント情報（ＰＳコメント）として、カット条件情報を書き込む。カット条件情報は、例えば、カット条件対応色とカット条件とを対応付けた情報であり、少なくともカット用ＲＩＰ入力ファイルにおいて使用されているカット条件対応色について、色名と、カット条件とを対応付けて示す。
【００６８】
尚、本例において、カット条件とカット条件対応色との対応は、１対１の対応となる。但し、カット条件対応色と切断線との対応は１対多でよく、同じカット条件対応色（カット条件）を複数の切断線に設定できる。
【００６９】
以上のように、本例のカット用ＲＩＰ入力ファイル生成処理において、クライアントＰＣ１２は、カット条件の異なる切断線に対し、異なるカット条件対応色（例えば特色）の色名を設定し、カット用ＲＩＰ入力ファイルを生成する。また、カット条件の詳細を示すカット条件情報を、カット用ＲＩＰ入力ファイルのコメント情報として書き込む。これにより、クライアントＰＣ１２は、複数の切断線を示し、かつカット条件対応色により切断線毎にカット条件を示すカット用ＲＩＰ入力ファイルを生成する。
【００７０】
図３は、カット用ＲＩＰ入力ファイル生成処理について更に詳しく説明する図である。図３（ａ）は、カット用ＲＩＰ入力ファイルのコメント情報として書き込まれるカット条件情報の一例を示す。本例のカット用ＲＩＰ入力ファイル生成処理において、クライアントＰＣ１２は、カット用ＲＩＰ入力ファイルのコメント情報として所定のフィールド名及びその値を書き込むことにより、カット条件情報を書き込む。例えば、図示した例において、クライアントＰＣ１２は、カット条件情報として、フィールド名％ＭｉｍａｋｉＣｕｔＣｏｎｄｉｔｉｏｎと、その値であるパラメータＰ１〜Ｐ４とを書き込む。
【００７１】
このうち、パラメータＰ１は、カット条件対応色の色名を示す。パラメータＰ１には、例えば、カット条件対応色として割り当てられた特色の色名を示す文字列が設定される。
【００７２】
また、パラメータＰ２は、印刷切断装置１６において予め設定されている既定のカット条件を示す。本例において、印刷切断装置１６には、既定のカット条件として、例えば、ＣＵＴ１〜３、ＰＥＮ、ＨＡＬＦ、及びＤＦ等の名前で、切断速度及び切断の圧力等のカット条件が予め設定される。また、これらの名前は、切断線の線種とも対応付けられており、切断線の線種を指定する条件として使用される。線種の指定とは、切断線を構成する線の種類の指定であり、例えば、通常の連続的な実線状の切断線、後で切り離すためのミシン目状の切断線等の指定である。ミシン目状の線とは、例えば、点線状又は破線状の線である。
【００７３】
本例において、ＣＵＴ１、ＣＵＴ２、ＣＵＴ３のそれぞれの名前では、例えば、切断の速度又は圧力をそれぞれ異ならせて切断を行う実線状の切断線のカット条件が設定される。ＨＡＬＦの名前では、例えば、所定の切断の速度及び圧力によるミシン目状のカット条件が設定される。また、ＰＥＮの名前では、例えば、所定の切断の速度及び圧力による、所定のペン作図条件と予め対応付けられた線種でのカット条件が設定される。ＤＦは、例えば、カット用ＲＩＰ出力ファイルによるカット条件の指定を行わないことを意味する値である。パラメータＰ２に値ＤＦが設定された場合、印刷切断装置１６は、印刷切断装置１６において設定されているカット条件の設定値に従って、切断を行う。
【００７４】
尚、パラメータＰ２にこれらの名前が設定されている場合、ＲＩＰ用ＰＣ１４は、例えば、印刷切断装置１６へ送るカット用ＲＩＰ出力ファイルに、例えば切断制御コマンドとして、その名前を示すコードを設定する。これにより、ＲＩＰ用ＰＣ１４は、既定のカット条件の名前を示すコードを印刷切断装置１６へ送る。印刷切断装置１６は、送られた名前に従って切断の速度や圧力等のカット条件を決定し、切断を行う。
【００７５】
また、本例において、パラメータＰ２は、省略可能なパラメータである。パラメータＰ２が省略された場合、そのカット条件対応色が指定された切断線は、ダミーの切断線となり、その切断線に対応するパスは切断されない。
【００７６】
パラメータＰ３は、切断の速度（カットスピード）の条件を示す。切断の速度とは、例えば、切断時にカッターを移動させる速度である。本例において、パラメータＰ３には、１〜３０の範囲の整数値により、切断の速度（ｃｍ／ｓ）が設定される。また、切断の速度の条件を省略する場合には、値−１が設定される。この場合、切断の速度は、例えば印刷切断装置１６において設定される速度となる。
【００７７】
パラメータＰ４は、切断の圧力の条件を示す。切断の圧力とは、例えば、カッターの刃を媒体に押しつける圧力である。本例において、パラメータＰ４には、１０〜３５０の範囲の整数値により、圧力（ｇ）が設定される。また、圧力の条件を省略する場合には、値−１が設定される。この場合、切断の圧力は、例えば印刷切断装置１６において設定される圧力となる。
【００７８】
以上のようにして、クライアントＰＣ１２は、カット条件対応色とカット条件とを対応付けたカット条件情報を書き込む。また、カット条件として、切断線の線種、切断の速度等の各種の条件を指定する。
【００７９】
尚、パラメータＰ２と、パラメータＰ３又はＰ４とが同時に設定された場合、パラメータＰ３、Ｐ４に設定される条件は、例えば、パラメータＰ２で指定される既定のカット条件からの変更値として扱われる。これにより、例えば、ＣＵＴ１等の名前に対応付けられている既定のカット条件に対し、一部の条件の変更を指定することが可能になる。この場合、変更を指定された条件の値は、対応する条件について印刷切断装置１６に予め設定されている値よりも優先される。また、変更を指定されなかった条件の値としては、印刷切断装置１６に予め設定されている値が使用される。
【００８０】
例えば、パラメータＰ２に名前ＣＵＴ１が設定され、パラメータＰ４に切断の圧力の条件が設定された場合、ＲＩＰ用ＰＣ１４は、カット用ＲＩＰ出力ファイルに含まれる切断制御コマンドとして、名前ＣＵＴ１を示すコード、及び切断の圧力を設定する。印刷切断装置１６は、これに応じて、切断制御コマンドにより設定された圧力を、圧力の動作値に設定する。また、名前ＣＵＴ１に対応する切断の速度を既定のカット条件から抽出し、速度の動作値に設定する。
【００８１】
図３（ｂ）は、カット用ＲＩＰ入力ファイルが示す複数の切断線の一例を示す。図示した例において、カット用ＲＩＰ入力ファイルは、複数のオブジェクト２０２ａ〜２０２ｃを切断する切断線と、オブジェクト２０２ａ〜２０２ｃを囲む外周の矩形領域２０４を切断する切断線とを示す。オブジェクト２０２ａ〜２０２ｃは、例えばシールのデザインのオブジェクトである。また、矩形領域２０４は、複数のシールのデザインを含むシートを構成する領域である。
【００８２】
また、本例において、オブジェクト２０２ａ、２０２ｂは、簡単な四角形及び三角形のオブジェクトである。また、オブジェクト２０２ｃは、細かい文字のオブジェクトであり、オブジェクト２０２ａ、２０２ｂと比べて複雑な外周形状を有する。
【００８３】
このような場合において、カット条件として、以下の３種類の条件を用いる。先ず、第１の条件として、線種を所定の実線とし、切断の速度を所定の標準速度とする。また、切断の圧力も、所定の標準値に設定する。また、第２の条件として、切断の速度を第１の条件よりも小さな所定の低速値に設定する。第２の条件において、その他の設定は、第１の条件と同じにする。また、第３の条件として、線種を、所定のミシン目状の線とする。第３の条件において、その他の設定は、第１の条件と同じにする。尚、第２又は第３の条件において、例えば切断の圧力等を第１の条件と異ならせてもよい。
【００８４】
そして、カットデータ用のグラフィックソフトウェアにおいて切断線を描画するツールとして、上記の各条件とそれぞれ対応付けられた複数のツールを用いる。これにより、データ生成処理におけるカットデータの作成時において、ユーザは、例えば、第１の条件と対応付けられたツールを用いて、オブジェクト２０２ａ、２０２ｂの切断線を描画する。また、第２の条件と対応付けられたツールを用いて、オブジェクト２０２ｃの切断線を描画する。更に、第３の条件と対応付けられたツールを用いて、矩形領域２０４の切断線を描画する。
【００８５】
この場合、カット用ＲＩＰ入力ファイル生成処理中の色準備処理において、クライアントＰＣ１２は、上記の各条件を、それぞれ異なるカット条件対応色と対応付ける。例えば、クライアントＰＣ１２は、第１〜第３の条件のそれぞれを、それぞれ異なるカット条件対応色である色Ａ〜色Ｃのそれぞれに対応付ける。
【００８６】
これにより、カット用ＲＩＰ入力ファイル生成処理中の切断線指示ファイル生成処理において、クライアントＰＣ１２は、オブジェクト２０２ａ、２０２ｂの切断線と、色Ａとを関連付ける。また、オブジェクト２０２ｃの切断線と、色Ｂとを関連付ける。更に、矩形領域２０４の切断線と、色Ｃとを関連付ける。
【００８７】
また、クライアントＰＣ１２は、カット用ＲＩＰ入力ファイルのコメント情報として、色Ａ〜Ｃのそれぞれと対応付けて、第１〜第３の条件をそれぞれ示すカット条件情報を書き込む。これにより、クライアントＰＣ１２は、カット用ＲＩＰ入力ファイルが示す複数の切断線に対し、切断線毎にカット条件を設定する。
【００８８】
本例によれば、例えば、切断される位置やオブジェクトに応じたカット条件を適切に設定できる。これにより、例えば、オブジェクト２０２ａ、２０２ｂのような単純な図形のパスを通常の速度で切断する一方で、オブジェクト２０２ｃのような細かい文字等の切断を、切断速度を遅くして、丁寧に行うこと等が可能になる。
【００８９】
また、切断線毎に線種の指定を行うことにより、例えば、一部の切断線を後で簡単に切り離すことが可能なミシン目状の線に設定できる。そのため、例えば、シールのデザイン部分のオブジェクト２０２ａ〜２０２ｃを実線状に切断する一方で、オブジェクトの外周部分の矩形領域２０４を、後で簡単に取り外しできるようにミシン目状に切断すること等が可能になる。
【００９０】
以上のように、本例によれば、例えば、カット条件の設定を柔軟かつ適切に行うことが可能になる。続いて、ＲＩＰ用ＰＣ１４の動作について説明する。
【００９１】
図４は、ＲＩＰ用ＰＣ１４の動作の一例を示すフローチャートである。ＲＩＰ用ＰＣ１４は、ＲＩＰソフトウェアに従って、以下の動作を行う。
【００９２】
本例において、ＲＩＰ用ＰＣ１４は、先ず、ファイル読み込み処理を行い、記憶装置１０２に設定された共有フォルダから、ＲＩＰ入力形式ファイルを読み込む（Ｓ２０２）。本例において、ＲＩＰ用ＰＣ１４は、プリント用ＲＩＰ入力ファイル又はカット用ＲＩＰ入力ファイルがクライアントＰＣ１２から共有フォルダへ出力された場合に、そのファイルを、ＲＩＰ入力形式ファイルとして読み込む。また、ＲＩＰ用ＰＣ１４は、読み込んだファイルのコメント情報を取得する。例えば、本例において、ＲＩＰ用ＰＣ１４は、カット用ＲＩＰ入力ファイルのコメント情報から、カット条件情報を取得する。
【００９３】
尚、プリント用ＲＩＰ入力ファイル及びカット用ＲＩＰ入力ファイルの両方のファイルが共有フォルダに存在する場合、ＲＩＰ用ＰＣ１４は、これらのファイルのコメント情報として書き込まれているＩＤ情報に基づき、両ファイルを関連付けて、以下の処理を行う。単独のプリント用ＲＩＰ入力ファイル又はカット用ＲＩＰ入力ファイルのみが共有フォルダに存在する場合、ＲＩＰ用ＰＣ１４は、そのファイルのみに対して、以下の処理を行う。
【００９４】
また、ＲＩＰ用ＰＣ１４は、プリント用ＲＩＰ入力ファイル又はカット用ＲＩＰ入力ファイルのコメント情報に基づき、カット条件情報以外の情報を更に取得してもよい。例えば、ＲＩＰ用ＰＣ１４は、コメント情報に基づき、各種の印刷制御用情報及び切断制御用情報を更に取得してもよい。
【００９５】
尚、印刷制御用情報とは、例えば、プリント用ＲＩＰ入力ファイルに基づく印刷動作を制御する情報である。切断制御用情報とは、例えば、カット用ＲＩＰ入力ファイルに基づく切断動作を制御する情報である。これらの情報は、例えばレイアウト情報やその他の各種制御情報を含む情報であってよい。この場合、ＲＩＰ用ＰＣ１４は、取得した情報に基づき、例えば、ＲＩＰ処理の各種設定を行う。切断制御用情報は、例えばカット条件情報で指定される条件以外の条件について切断動作を制御する情報であってよい。また、切断制御用情報は、例えば、複数の切断線に対して共通のカット条件を指定する情報を含んでもよい。
【００９６】
続いて、ＲＩＰ用ＰＣ１４は、ＲＩＰ処理を実行して、印刷切断装置１６へ出力するＲＩＰ出力形式ファイルを生成する。このステップにおいて、ＲＩＰ用ＰＣ１４は、例えば、プリント用ＲＩＰ出力ファイル生成処理及びカット用ＲＩＰ出力ファイル生成処理を行う。尚、ファイル読み込み処理において、プリント用ＲＩＰ入力ファイル又はカット用ＲＩＰ入力ファイルの一方のみを読み込んだ場合、ＲＩＰ用ＰＣ１４は、例えば、プリント用ＲＩＰ出力ファイル生成処理及びカット用ＲＩＰ出力ファイル生成処理のうち、そのファイルに対応する処理のみを行う。
【００９７】
プリント用ＲＩＰ出力ファイル生成処理において、ＲＩＰ用ＰＣ１４は、プリント用ＲＩＰ入力ファイルをＲＩＰ出力形式ファイルへ変換することにより、プリント用ＲＩＰ入力ファイルに対応するＲＩＰ出力形式ファイルであるプリント用ＲＩＰ出力ファイルを生成する。この処理において、ＲＩＰ用ＰＣ１４は、例えば、印刷される画像に対する公知のＲＩＰ処理と同一又は同様の方法により、プリント用ＲＩＰ出力ファイルを生成する。例えば、ＲＩＰ用ＰＣ１４は、Ｐｏｓｔｓｃｒｉｐｔファイルであるプリント用ＲＩＰ入力ファイルの解析、印刷切断装置１６の解像度に合わせたラスタライズ、印刷切断装置１６の色再現特性に合わせたカラー変換、及びスクリーニング処理等を行うことにより、プリント用ＲＩＰ出力ファイルを生成する。
【００９８】
また、カット用ＲＩＰ出力ファイル生成処理において、ＲＩＰ用ＰＣ１４は、カット用ＲＩＰ入力ファイルをＲＩＰ出力形式ファイルへ変換することにより、カット用ＲＩＰ入力ファイルに対応するＲＩＰ出力形式ファイルであるカット用ＲＩＰ出力ファイルを生成する。この処理において、ＲＩＰ用ＰＣ１４は、先ず、例えば、カット条件対応色と関連付けられているパスを、カット用ＲＩＰ入力ファイルから、切断線として抽出する。そして、この抽出結果に基づき、切断線を示す画像のデータを生成する。
【００９９】
そして、ＲＩＰ用ＰＣ１４は、更に、カット用ＲＩＰ入力ファイルのコメント情報に書き込まれているカット条件情報に基づき、そのカット条件対応色に対応付けられているカット条件に応じて、それぞれの切断線に対応する切断制御コマンドを生成する。この切断制御コマンドは、例えば、カット条件に応じて切断動作を制御するコマンドである。これにより、ＲＩＰ用ＰＣ１４は、切断線毎に、カット条件に応じた切断制御コマンドを設定し、カット用ＲＩＰ出力ファイル中へ出力する。
【０１００】
上記以外の点について、ＲＩＰ用ＰＣ１４は、カット用ＲＩＰ出力ファイル生成処理において、例えば、プリント用ＲＩＰ出力ファイル生成処理や、切断線に対する公知のＲＩＰ処理と同一又は同様の方法により、カット用ＲＩＰ出力ファイルを生成する。これにより、ＲＩＰ用ＰＣ１４は、例えば、カット用ＲＩＰ入力ファイルに基づき、切断線を示す画像のデータと、切断制御コマンドとを含むカット用ＲＩＰ出力ファイルを生成する。
【０１０１】
続いて、ＲＩＰ用ＰＣ１４は、ＲＩＰ出力ファイル出力処理を行い、プリント用ＲＩＰ出力ファイル及びカット用ＲＩＰ出力ファイルを印刷切断装置１６へ出力する。これにより、ＲＩＰ用ＰＣ１４は、印刷及び切断の動作を印刷切断装置１６に実行させる（Ｓ２０６）。
【０１０２】
本例によれば、例えば、複数種類のカット条件対応色のそれぞれに対応したカット条件に従って、印刷切断装置１６を適切に制御できる。また、これにより、切断線毎に異なるカット条件を適切に設定できる。
【０１０３】
尚、ＩＤ情報に基づいて互いに関連付けられたプリント用ＲＩＰ入力ファイル及びカット用ＲＩＰ入力ファイルをクライアントＰＣ１２から受け取った場合、ＲＩＰ用ＰＣ１４は、例えば、これらに対応するプリント用ＲＩＰ出力ファイル及びカット用ＲＩＰ出力ファイルのそれぞれを、対応付けに応じたタイミングで、印刷切断装置１６へ出力する。例えば、ＲＩＰ用ＰＣ１４は、プリント用ＲＩＰ出力ファイルを出力した後、例えば印刷後の乾燥時間に相当する一定の時間待って、予め設定されたタイミングで、カット用ＲＩＰ出力ファイルを出力する。また、ＲＩＰ用ＰＣ１４は、カット用ＲＩＰ出力ファイルを先に出力することにより、印刷切断装置１６に、印刷より先に切断を行わせてもよい。本例によれば、例えば、印刷切断装置１６に、適切に印刷及び切断を行わせることができる。
【０１０４】
また、プリント用ＲＩＰ入力ファイルとカット用ＲＩＰ入力ファイルとが互いに関連付けられておらず、一方のファイルのみを受け取った場合、印刷切断装置１６は、受け取ったファイルに応じて、プリント用ＲＩＰ出力ファイル及びカット用ＲＩＰ出力ファイルの一方のみを印刷切断装置１６へ出力する。これにより、必要に応じて、印刷切断装置１６に、印刷又は切断の一方のみを適切に行わせることができる。
【０１０５】
尚、上記実施形態では、カット条件の指定方法の一例として、ツールにカット条件を対応付けた場合を説明したが、これに限らない。例えば、ツールを用いて描画後、対象の輪郭（カット線）毎にカット条件をしていく方法等も考えられる。また、この場合、カット条件に名前を付けて登録しておく方法や、その都度カット条件を設定していく方法等がある。カット条件を予め登録しておく場合には、例えば、ユーザがツールを用いて対象の輪郭を描画した後、その輪郭を選択して名前を指定することによって、カット条件と輪郭とを紐付けることができる。また、カット条件をその都度設定する場合には、例えば、ユーザがツールを用いて対象の輪郭を描画した後、その輪郭を選択してカット条件の設定フィールドを呼び出し、カット条件を指定することができる。また、レイヤーを指定することによって、レイヤー内の全ての輪郭を指定し、その全ての輪郭に対して同一のカット条件を指定するようにしてもよい。
【０１０６】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【０１０７】
本発明は、例えば印刷切断システムに好適に利用できる。
【図面の簡単な説明】
【０１０８】
【図１】本発明の一実施形態に係る印刷切断システム１０の構成の一例を示す図である。
【図２】クライアントＰＣ１２の動作の一例を示すフローチャートである。
【図３】カット用ＲＩＰ入力ファイル生成処理について更に詳しく説明する図である。図３（ａ）は、カット用ＲＩＰ入力ファイルのコメント情報として書き込まれるカット条件情報の一例を示す。図３（ｂ）は、カット用ＲＩＰ入力ファイルが示す複数の切断線の一例を示す。
【図４】ＲＩＰ用ＰＣ１４の動作の一例を示すフローチャートである。
【符号の説明】
【０１０９】
１０・・・印刷切断システム、１２・・・クライアントＰＣ、１４・・・ＲＩＰ用ＰＣ、１６・・・印刷切断装置、１０２・・・記憶装置、２０２ａ、２０２ｂ、２０２ｃ・・・オブジェクト、２０４・・・矩形領域
【図１】
2010069650.tif 000003
【図２】
2010069650.tif 000004
【図３】
2010069650.tif 000005
【図４】
2010069650.tif 000006